(57)【特許請求の範囲】
【請求項１】
撮像素子と、該撮像素子を保持して光学機器に装着されるハウジング部材と、前記撮像素子を前記ハウジング部材に対して位置決めする位置調整部材とを備えた位置決め機構であって、
前記ハウジング部材に、前記撮像素子を囲む筒状部を設け、この筒状部の表面に、前記撮像素子の受光面の法線方向と平行な平面からなる少なくとも一つの基準面を形成したこと；
前記位置調整部材を、前記ハウジング部材の前記基準面に沿って、前記受光面と平行な方向に移動自在に支持したこと；及び
前記位置調整部材に前記撮像素子を連結し、前記位置調整部材の前記基準面に沿った位置により前記撮像素子を位置決めすること；を特徴とする撮像素子の位置決め機構。
【請求項２】
請求項１記載の撮像素子の位置決め機構において、前記基準面は、前記撮像素子の受光面の一辺と平行に設定された第１基準面と、前記一辺と直角を成す他の辺と平行に設定された、前記第１基準面と直角を成す第２基準面を有する撮像素子の位置決め機構。
【請求項３】
請求項２記載の撮像素子の位置決め機構において、前記位置調整部材は、前記第１基準面に対向する第１位置決め部と、該第１位置決め部に連なり、前記第２基準面に対向する第２位置決め部と、該第２位置決め部に連なり、前記撮像素子と連結される連結部を備えている撮像素子の位置決め機構。
【請求項４】
請求項３記載の撮像素子の位置決め機構において、前記第２基準面は、前記筒状部の対向する面に一対形成され、前記位置調整部材は一対からなり、該一対の位置調整部材は、前記第１基準面の異なる領域に対向する第１位置決め部と、前記各第２基準面に対向する第２位置決め部と、前記撮像素子の異なる位置に連結された連結部を備えている撮像素子の位置決め機構。
【請求項５】
請求項４記載の撮像素子の位置決め機構において、前記各連結部は、前記撮像素子の対向縁部略中央にそれぞれ連結されている撮像素子の位置決め機構。
【請求項６】
請求項４記載の撮像素子の位置決め機構において、前記筒状部は、前記撮像素子を囲む断面矩形の角筒状に形成されていて、前記一対の第１基準面と一対の第２基準面は、前記断面矩形の角筒状の筒状部の対向する両角部近傍に形成されている撮像素子の位置決め機構。
【請求項７】
請求項６記載の撮像素子の位置決め機構において、前記第１基準面及び前記第２基準面は、前記筒状部の対角位置に２組形成され、それぞれに前記位置調整部材が配置されている撮像素子の位置決め機構。
【請求項８】
請求項３乃至７の何れか一項記載の撮像素子の位置決め機構において、前記位置調整部材の第１位置決め部と前記第１基準面との間及び第２位置決め部と前記第２基準面との間に挿脱される間隔調整部材を備え、前記位置調整部材は、挿入された前記間隔調整部材により設定された位置まで前記第１、第２基準面に対して垂直な方向であって前記受光面と平行な方向に移動して前記撮像素子を位置決めする撮像素子の位置決め機構。
【請求項９】
請求項８記載の撮像素子の位置決め機構において、前記位置調整部材は、前記間隔調整部材によって間隔調整された位置で前記筒状部に対してねじ止め固定される撮像素子の位置決め機構。
【請求項１０】
撮像素子と、該撮像素子を保持して光学機器に装着されるハウジング部材と、前記撮像素子をハウジング部材に対して位置決めする位置調整部材とを備えた位置決め機構であって、
前記ハウジング部材に、前記撮像素子を囲む筒状部を設け、この筒状部の表面に、前記撮像素子の受光面の法線方向と平行な平面からなりかつ前記撮像素子に対して対称となる位置に位置させて互いに平行な２つの基準面を形成したこと；
前記位置調整部材を一対設け、該一対の位置調整部材を、前記ハウジング部材の前記２つの基準面のそれぞれに沿って前記受光面と平行な方向に移動自在に支持したこと；及び
前記一対の位置調整部材を、前記撮像素子の異なる位置に連結された連結部を有し、前記ハウジング部材に対して前記基準面に沿って前記受光面と平行な方向に移動自在に支持したこと；及び
前記一対の位置調整部材を前記撮像素子の異なる位置に連結し、前記一対の位置調整部材の前記基準面に沿った位置により前記撮像素子を位置決めすること；
を特徴とする撮像素子の位置決め機構。
【発明の詳細な説明】
【技術分野】
【０００１】
本発明は、デジタルカメラなどの光学機器における撮像素子の位置決め機構に関する。
【背景技術】
【０００２】
従来、デジタルカメラに搭載されている撮像素子ブロックは、撮像素子の背面に装着された金属板を介して、カメラ本体に固定された基準部材に対して位置決めされていた（特許文献１）。
【０００３】
この従来例では、ＣＣＤ（撮像素子）を固定する固定フレーム内の隣接する２側面にそれぞれ対向する側面側に配置された板ばね部材によって、ＣＣＤの隣接する２側面を押圧して、ＣＣＤの他の隣接する２側面に押しつけて位置決めし、ＣＣＤを固定フレームに接着する構成であった。
【先行技術文献】
【特許文献】
【０００４】
【特許文献１】特開２００６−６７１４７号公報
【発明の概要】
【発明が解決しようとする課題】
【０００５】
しかしながらこのような従来技術構成の場合、撮像素子の取付位置が固定フレームの側面で決まるため、光学ファインダー視野との位置調整を行う工程があった場合、固定フレームに対する撮像素子を光軸周りに回転させたり、光軸と直交する方向に移動させることも困難であった。しかも従来技術では、撮像素子を製造工程において位置調整したとしても、その後市場に流通してユーザーが使用している状況において光学ファインダー像と撮影した画像とにズレ（視差、傾き）が出た場合は、撮像素子側の位置を再調整することによる対応が困難であり、光学ファインダー視野枠の方を調整せざるを得なかった。
【０００６】
本発明は、かかる従来のデジタル一眼レフカメラの課題に鑑みてなされたものであって、製造段階及び製造後においても撮像素子の位置調整、位置決めが容易な撮像素子の位置決め機構を提供することを目的とする。
【課題を解決するための手段】
【０００７】
この課題を解決するために本発明は、撮像素子と、該撮像素子を保持して光学機器に装着されるハウジング部材と、前記撮像素子を前記ハウジング部材に対して位置決めする位置調整部材とを備えた位置決め機構であって、前記ハウジング部材に、前記撮像素子を囲む筒状部を設け、この筒状部の表面に、前記撮像素子の受光面の法線方向と平行な平面からなる少なくとも一つの基準面を形成したこと；前記位置調整部材を、前記ハウジング部材の前記基準面に沿って、前記受光面と平行な方向に移動自在に支持したこと；及び前記位置調整部材に前記撮像素子を連結し、前記位置調整部材の前記基準面に沿った位置により前記撮像素子を位置決めすること；に特徴を有する。
【０００８】
前記基準面は、前記撮像素子の受光面の一辺と平行に設定された第１基準面と、前記一辺に隣接し直角を成す他の辺と平行に設定された、前記第１基準面と直角を成す第２基準面を有することが実際的である。
【０００９】
前記位置調整部材は、前記第１基準面に対向する第１位置決め部と、該第１位置決め部に連なり、前記第２基準面に対向する第２位置決め部と、該第２位置決め部に連なり、前記撮像素子と連結される連結部を備えることが実際的である。
さらに本発明の好ましい実施形態にあっては、前記第２基準面は、前記筒状部の対向する面に一対形成され、前記位置調整部材は一対からなり、該一対の位置調整部材は、前記第１基準面の異なる領域に対向する第１位置決め部と、前記各第２基準面に対向する第２位置決め部と、前記撮像素子の異なる位置に連結された連結部を備えことが好ましい。さらに前記各連結部は、前記撮像素子の対向縁部略中央にそれぞれ連結することが好ましい。
【００１０】
前記筒状部は、前記撮像素子を囲む断面矩形の角筒状に形成されていて、前記一対の第１基準面と一対の第２基準面は、前記断面矩形の角筒状の筒状部の対向する両角部近傍に形成することができる。
【００１１】
前記第１基準面及び前記第２基準面を、前記筒状部の対角位置に２組形成し、それぞれに前記位置調整部材を設けることが好ましい。
【００１２】
本発明の好ましい実施形態では、前記位置調整部材の第１位置決め部と前記第１基準面との間及び第２位置決め部と前記第２基準面との間に挿脱される間隔調整部材を備え、前記位置調整部材は、挿入された前記間隔調整部材により設定された位置まで前記第１、第２基準面に対して垂直な方向であって前記受光面と平行な方向に移動して前記撮像素子を位置決めするので、その後撮像素子が位置ずれを生じ難い。
【００１３】
好ましくは、前記位置調整部材を、前記間隔調整部材によって間隔調整された位置で前記筒状部に対してねじ止め固定する。ねじを使用することにより、ねじを緩めることも容易になり、再調整作業が容易になる。
【００１４】
別の観点からなる本発明は、撮像素子と、該撮像素子を保持して光学機器に装着されるハウジング部材と、前記撮像素子をハウジング部材に対して位置決めする位置調整部材とを備えた位置決め機構であって、前記ハウジング部材に、前記撮像素子を囲む筒状部を設け、この筒状部の表面に、前記撮像素子の受光面の法線方向と平行な平面からなりかつ前記撮像素子に対して対称となる位置に位置させて互いに平行な２つの基準面を形成したこと；前記位置調整部材を一対設け、該一対の位置調整部材を、前記ハウジング部材の前記２つの基準面のそれぞれに沿って前記受光面と平行な方向に移動自在に支持したこと；及び前記一対の位置調整部材を、前記撮像素子の異なる位置に連結された連結部を有し、前記ハウジング部材に対して前記基準面に沿って前記受光面と平行な方向に移動自在に支持したこと；及び前記一対の位置調整部材を前記撮像素子の異なる位置に連結し、前記一対の位置調整部材の前記基準面に沿った位置により前記撮像素子を位置決めすること；を特徴とする。
【発明の効果】
【００１５】
本発明によれば、撮像素子ブロックのハウジング部材に対する位置が、ハウジング部材の表面に形成された基準面に沿って移動する位置調整部材によって決められるので、撮像素子の位置調整が容易である。しかも基準面に沿って位置決めされるので、精度も出しやすい。
本発明は、光学ファインダーを備えたデジタル一眼レフカメラに搭載すれば、撮像した画像とファインダー装置の光学画像との視差、傾き調整が、光学ファインダーの再調整をすることなく容易にできる。
【図面の簡単な説明】
【００１６】
【図１】本発明を適用したデジタル中判一眼レフカメラのカメラボディに係る実施形態を光軸で縦断した断面図である。
【図２】同カメラボディの実施形態を光軸で横断した断面図である。
【図３】同カメラボディのマウントから撮像素子ハウジング、撮像素子ブロックまでの主要部材を分解して示した斜視図である。
【図４】同撮像素子ハウジングの背面図である。
【図５】同撮像素子撮像素子ハウジングに対する撮像素子ブロックのＹ軸方向（上下方向）の位置決めの様子を、（Ａ）、（Ｂ）、（Ｃ）に異なる態様で示した背面図である。
【図６】同撮像素子ブロックのＹ軸方向（上下方向）及びＸ軸方向（左右方向）の位置決めの様子を、（Ａ）、（Ｂ）、（Ｃ）に異なる態様で示した背面図である。
【発明を実施するための形態】
【００１７】
以下本発明の実施形態について、添付の図面を参照して詳細に説明する。図１、図２は、本発明を適用した中判デジタル一眼レフカメラのカメラボディの実施形態を、光軸で縦断、横断して主要部材を示した断面図である。この中判一眼レフカメラは、銀塩フィルムカメラにおけるブローニー版６４５タイプに相当する。
【００１８】
カメラボディ１０は、外観を構成する外装板１１の正面に、図示しない撮影レンズを着脱自在に支持するレンズマウント１３を備えている。このレンズマウント１３より後方のカメラボディ１０内に、設計上の光軸Ｏに沿って順に、メインミラー２０、シャッター装置３０及び撮像素子ブロック４０が配置されている。メインミラー２０の上方には、撮影レンズを通った被写体光束によって形成される被写体像を観察するファインダー装置が配置されている。ファインダー装置は、メインミラー２０で反射した被写体像が形成されるフォーカシングスクリーン２１、フォーカシングスクリーン２１に形成された被写体像を撮影者が正立像として観察するための、コンデンサレンズ２２、トラピゾイドプリズム２３及び接眼光学系２４を備えている。なお、接眼光学系２４のレンズ群は省略してある。
【００１９】
メインミラー２０は、ミラーボックス５０内に揺動自在に枢支され、フォーカシングスクリーン２１はミラーボックス５０の上部開口に配置され、シャッター装置３０はミラーボックス５０の後部開口に配置されている。ミラーボックス５０は、略直方体のフレームを基本構造体としていて、カメラボディ１０の基本構造体（フレーム）に取り付けられ、また、外装板（外装部材）１１等が取り付けられる。シャッター装置３０は縦走りフォーカルプレーンシャッターであって、通常、先幕によって撮像素子ブロック４０への光路を遮断している。また、メインミラー２０は、撮影レンズを通った被写体光束をフォーカシングスクリーン２１に向けて反射する観察位置と、フォーカシングスクリーン２１と対向する位置まで上昇して被写体光束を通過させる撮影位置とに揺動（アップダウン）する。
【００２０】
撮像素子ブロック４０は、ＣＣＤ又はＣＭＯＳイメージセンサ等のチップがパッケージされた撮像素子４１と、撮像素子４１の前面に装着された、ローパスフィルター、赤外カットフィルターなどの光学フィルター４２と、撮像素子４１の背面に固定された取付板４３と、取付板４３の背面に装着された回路基板４４を備えている。撮像素子４１は通常、撮像素子チップがセラミック等のパッケージに封入されている。そしてこの撮像素子４１の背面に、取付板４３が接着されている。さらに取付板４３の背面には、スペーサを介して回路基板４４が装着されている。撮像素子４１の受光面４１ｂ側には、フォトダイオードがマトリクス状に多数配置されており、長方形状の撮像領域を形成している。ここで、受光面４１ｂの長辺と平行な方向をＸ軸、Ｘ軸方向（左右方向）、短辺と平行な方向をＹ軸、Ｙ軸方向（上下方向）、受光面４１ｂの法線と平行な方向（光軸方向）をＺ軸、Ｚ軸方向とし、Ｘ、Ｙ、Ｚ軸は互いに直交するものと定義する。又、光軸方向とは、光軸Ｏと平行な方向を意味し、前方とは光軸方向の前方（被写体側）、後方とは光軸方向の後方（像面側）を意味し、上下方向とは、カメラが正位置に置かれた状態で、Ｙ軸方向に沿った上下方向を意味し、左右方向とは、同カメラが正位置に置かれた状態で、前方を見てＸ軸方向に沿った左右方向を意味する。なお、撮像素子４１の背面から信号ピン群４１ａが突出していて（図３）、これらの信号ピン群４１ａは、取付板４３の切り欠き領域を抜けて、回路基板４４に形成された信号ピン孔群に嵌る。
【００２１】
この撮像素子ブロック４０は、背面視、取付板４３の外形の方が撮像素子４１の外形よりも大きく形成されていて、撮像素子４１の両側から外方に受光面４１ｂと平行に延出した部分が取付部４３ａを構成している（図２、図３）。そして撮像素子ブロック４０は、この取付部４３ａを介して撮像素子ハウジング６０に固定される。この取付板４３は通常、熱良導体であるアルミニウム合金などの金属で形成されている。
【００２２】
撮像素子ハウジング６０は、撮像素子ブロック４０の周囲を囲み、光軸Ｏに沿う前後方向での二面が開放された箱形状（筒状）に形成されている。つまり撮像素子ハウジング６０は、撮像素子ブロック４０を囲む筒状部６１と、筒状部６１の内周面に、撮像素子ブロック４０が固定されるフランジ部６２が形成されている。筒状部６１は、背面から見て、略長方形に形成されていて、フランジ部６２は、筒状部６１の内周面に沿って突設され、後側の面が、撮像素子ハウジング６０がミラーボックス５０の後端部に取り付けられたときに光軸Ｏと直交する一面内に含まれるように形成されている。
【００２３】
フランジ部６２の両側の背面には、断面Ｌ形の複数の伝熱部材６３が装着されている（図２）。撮像素子ブロック４０は、取付部４３ａとフランジ部６２との間に伝熱部材６３を挟圧した状態で撮像素子ハウジング６０に固定されている。
【００２４】
これらのフランジ部６２及び取付板４３の取付部４３ａには、撮像素子ハウジング６０と撮像素子ブロック４０とを位置決め固定するためのボス６２ａ及びボス穴４３ｂが３組形成されている。撮像素子ブロック４０は、各ボス穴４３ｂを対応するボス６２ａに嵌入させて、各ボス穴４３ｂからボス６２ａの端面にねじ６５をねじ込んで、伝熱部材６３をフランジ部６２とで挟圧した状態で、撮像素子ハウジング６０に固定される。
【００２５】
さらに撮像素子ハウジング６０は、その底部及び左右側面が伝熱部材６４を介して、カメラボディ１０の底面及び両側面に位置する外装板１１に接続されている。伝熱部材６４は、撮像素子ハウジング６０の底面及び両側面に亘って装着されている。伝熱部材６４は連続した一体物でなくてもよく、撮像素子ハウジング６０と外装板１１とに面接触する位置に分散させて設けてもよい。
【００２６】
撮像素子ハウジング６０に対する撮像素子ブロック４０の位置決め機構について、さらに図３乃至図６を参照して説明する。撮像素子ハウジング６０の筒状部６１の外面両肩部には、外上面（水平面）６１Ｘと、この外上面に隣接する両外側面（外上面６１Ｘと直交する両垂直面）６１Ｙに沿って、位置調整部材として一対の略Ｌ字型の位置調整板７１、７２が装着されている。各位置調整板７１、７２は、筒状部６１の外上面６１Ｘに沿って延びる第１位置決め部７１ａ、７２ａと、第１位置決め部７１ａ、７２ａから直角に屈曲して筒状部６１の外側面６１Ｘに沿って延びる第２位置決め部７１ｂ、７２ｂと、第２位置決め部７１ｂ、７２ｂの下端部の前縁側から、筒状部６１の両外側面６１Ｙに形成された穴６１ｅ、６１ｆ部分で屈曲し、筒状部６１内方に進入して、フランジ部６２に沿って平行に延びる連結部７１ｃ、７２ｃとを有する。連結部７１ｃ、７２ｃ背面にはピン７１ｄ、７２ｄが突設されていて、各ピン７１ｄ、７２ｄに、取付板４３の取付部４３ａに形成されたピン穴４３ｃ、４３ｄが嵌合される。各位置調整板７１、７２は、各第１位置決め部７１ａ、７２ａに形成された長穴７１ｅ、７２ｅ、各第２位置決め部７１ｂ、７２ｂに形成された一対の長穴７１ｆ、７２ｆから筒状部６１にねじ込まれたねじ７３、７４によって筒状部６１に固定されている（図３、図４）。位置調整板７１、７２は、金属又は合成樹脂など、任意の材料で形成できる。
【００２７】
第１位置決め部７１ａ、７２ａの長穴７１ｅ、７２ｅはＸ軸方向（左右方向）に延び、各第２位置決め部７１ｂ、７２ｂの長穴７１ｆ、７２ｆはＹ軸方向（上下方向）に延びている。つまり位置調整板７１、７２は、長穴７１ｅ、７２ｅに沿って、光軸Ｏと直交する平面内においてＸ軸方向（左右方向）に位置調整可能であり、長穴７１ｆ、７２ｆに沿って、光軸Ｏと直交する平面内においてＹ軸方向（上下方向）に位置調整可能な構成である。さらに、ピン穴４３ｃ、４３ｄの一方（左側）のピン穴４３ｃは、ピン穴４３ｄに対して、Ｘ軸方向に若干延びた長穴になっている。つまり撮像素子ブロック４０は、ピン穴４３ｄを中心として回動可能な構成である。なお、筒状部６１の穴６１ｅ、６１ｆも、前記Ｙ軸方向（上下方向）の位置調整において連結部７１ｃ、７２ｃが干渉しない長さに形成されている。
【００２８】
この位置調整板７１、７２の第１位置決め部７１ａ、７２ａと筒状部６１の外上面６１Ｘ、第２位置決め部７１ｂ、７２ｂと筒状部６１の外側面６１Ｙとの間に間隔調整板（スペーサ、シム）８１、８２を挿脱することで、撮像素子ブロック４０の撮像素子ハウジング６０に対するＸ軸方向位置、Ｙ軸方向位置、及び光軸Ｏ（Ｚ軸）と直交する平面内における傾きを調整することができる。
【００２９】
筒状部６１には、外上面６１Ｘの両肩部近傍に、表面が平坦でＸ軸（左右）方向に延びた第１基準面６１ａが形成され、両外側面６１Ｙに表面が平坦でＹ軸（上下方向）に延びる第２基準面６１ｂが、光軸Ｏ（Ｚ軸）と平行に形成されている。両第１基準面６１ａは平行又は同一平面上に位置させて形成され、両第２基準面６１ｂは互いに平行であって、第１基準面６１ａと直交する方向に形成されている。二つの第２基準面６１ｂは、光軸Ｏに対して平行である。さらに第１基準面６１ａと第２基準面６１ｂは、互いに直交する方向であって、かつ撮像素子ブロック４０の受光面４１ｂに立てた法線と平行に形成されている。なお、この法線は、カメラボディに装着された状態では光軸Ｏ（Ｚ軸）と平行になる。さらにこれらの第１基準面６１ａ、６１ｂは、筒状部６１の外上面６１Ｘ、外側面６１Ｙよりもやや高く形成されている。
【００３０】
各第１基準面６１ａにはねじ穴６１ｃが形成され、各第２基準面６１ｂにはそれぞれＹ軸方向（上下方向）に離反した位置に２個のねじ穴６１ｄが形成されている。各ねじ穴６１ｃにはねじ７３ａ、７４ａがねじ込まれ、各ねじ穴６１ｄにはねじ７３ｂ、７３ｂ、７４ｂ、７４ｂがねじ込まれる。
【００３１】
第１基準面６１ａと位置調整板７１、７２の第１位置決め部７１ａ、７２ａとの間にはスペーサ８１を、第１、第２基準面６１ａ、６１ｂと位置調整板７１、７２の第２位置決め部７１ｂ、７２ｂとの間にはスペーサ８２を介在することができる。スペーサ８１、８２は異なる厚さのものを複数用意し、単独で又は組み合わせることによって、種々の厚さを設定することができる。このように単独又は組み合わせたスペーサ８１、８２を入れて、又は入れないことにより、第１、第２基準面６１ａ、６１ｂと位置調整板７１、７２の第１位置決め部７１ａ、７２ａ、第２位置決め部７１ｂ、７２ｂとの間隔を調整することが可能になる。この間隔調整によって移動する位置調整板７１、７２と、ピン７１ｄ、７２ｄとピン穴４３ｃ、４３ｄとの嵌合によって連結されている撮像素子ブロック４０の撮像素子ハウジング６０（筒状部６１）に対する、Ｙ軸（上下）方向位置、Ｘ軸（左右）方向位置及び傾き（光軸Ｏ回りの角度）を調整することができる。その調整について、さらに図５及び図６を参照して説明する。なお、調整の際には、各ねじ６５、７３ａ、７３ｂ、７４ａ、７４ｂを緩めておき、調整が終了してから各ねじ６５、７３ａ、７３ｂ、７４ａ、７４ｂを締め付ける。
【００３２】
図５は、第１基準面６１ａに対する位置調整板７１、７２のＹ軸方向間隔調整による撮像素子ブロック４０の位置調整の様子を、図６は第１基準面６１ａに対する位置調整板７１、７２の間隔調整（Ｙ軸方向間隔調整）及び第２基準面６１ｂに対する位置調整板７１、７２のＸ軸方向間隔調整による撮像素子ブロック４０の位置調整の様子を示している。そして各図に、光軸Ｏを中心とした基準十字線９１と、撮像素子ブロック４０の受光面４１ｂをＸ軸、Ｙ軸方向に等分割し、受光面４１ｂの中心で交差する撮像素子十字線９３を描いてある。なお、基準十字線９１の横方向線はＸ軸と平行、縦方向線はＹ軸と平行である。さらにピン穴４３ｃ、４３ｄは、撮像素子十字線９３の横方向（Ｘ軸方向）線が中心を通るように形成されている。
【００３３】
図５（Ａ）は撮像素子ブロック４０の標準位置、図５（Ｂ）は撮像素子ブロック４０を標準位置から左を下げて右を上げた調整状態、図５（Ｃ）は撮像素子ブロック４０を標準位置から左右同長上げた調整状態を示している。
【００３４】
図５（Ａ）の標準位置では、位置調整板７１、７２の第１位置決め部７１ａ、７２ａと第１基準面６１ａとの間に、厚さｔ＝１のスペーサ８１を１枚ずつ介在させてある。この標準位置では基準十字線９１と撮像素子十字線９３がぴったり重なっている。第１位置決め部７１ａ、７２ａと第１基準面６１ａとの間にスペーサ８１を入れた状態を標準位置に設定することで、第１位置決め部７１ａ、７２ａと第１基準面６１ａとの間隔を狭める及び広げる両方向の調整が可能になる。第２位置決め部７１ｂ、７２ｂは第２基準面６１ｂ、６２ｂに沿ってＹ軸方向（受光面４１ａと平行な方向）に移動するので、位置調整板７１、７２の第２基準面６１ｂ、６２ｂに沿った位置により撮像素子４１を位置決めできる。
【００３５】
図５（Ｂ）では、標準位置状態から、左上面のスペーサ８１を取り除き、右上面のスペーサ８１を厚さｔ＝２に変えてある。このスペーサ調整によって、左側の位置調整板７１は標準位置から厚さｔ＝１だけ下がり、右側の位置調整板７２は標準位置から厚さｔ＝１だけ上がっている。従って撮像素子ブロック４０は、標準位置から、左側が厚さｔ＝１だけ下がり、右側が厚さｔ＝１だけ上がって、反時計方向に回転している。その様子は、基準十字線９１に対して撮像素子十字線９３が反時計方向に回転していることによっても分かる。この場合撮像素子ブロック４０の回転中心は、ピン７１ｄとピン穴４３ｃ、ピン７２ｄとピン穴４３ｄが同長相反するＹ軸方向に移動しているので、光軸Ｏとほぼ一致している。
【００３６】
図５（Ｃ）では、標準位置状態から、上面左右のスペーサ８１をそれぞれ厚さｔ＝２に変更してある。この調整によって左右の位置調整板７１、７２（第１位置決め部７１ａ、７２ａ）は、標準位置から厚さｔ＝１だけ上がっている（第１基準面６１ａ、６２ａから離反している）。つまり撮像素子ブロック４０は、標準位置から厚さｔ＝１だけＹ軸上方向に平行移動（第２基準面６１ｂ、６２ｂに沿って移動）している。その様子は、基準十字線９１に対して撮像素子十字線９３が上方に平行にずれていることによっても分かる。
【００３７】
なお、図５（Ａ）乃至（Ｃ）の各状態において、左右の第２位置決め部７１ｂ、７２ｂはそれぞれ第２基準面６０ｂに接触していて、Ｘ軸左右方向には移動していない。
【００３８】
図６は、位置調整板７１、７２をＹ軸上下方向だけでなく、Ｘ軸左右方向にも調整した実施例を示している。図６（Ａ）は標準位置、図６（Ｂ）は標準位置から左回転させた状態を、図６（Ｃ）は標準位置からＸ軸右方向に平行移動させた状態を示している。
【００３９】
図６（Ａ）の標準位置では、厚さｔ＝１のスペーサ８１、８２が、左右の第１位置決め部７１ａ、７２ａと第１基準面６１ａとの間、左右の第２位置決め部７１ｂ、７２ｂと第２基準面６１ｂ、６１ｂとの間に介在している。この標準位置では、基準十字線９１と撮像素子十字線９３がぴったり一致している。
【００４０】
図６（Ｂ）では、標準位置状態から、左上面及び左側面のスペーサ８１、８２を取り除き、右上面及び右側面のスペーサ８１、８２を厚さｔ＝１からｔ＝２に変更してある。従って左側の位置調整板７１は、標準位置から厚さｔ＝１だけＹ軸方向下方及びＸ軸方向右方に移動し、右側の位置調整板７２は標準位置から厚さｔ＝１だけＹ軸上方向及びＸ軸右方向に移動している。このスペーサ８１、８２の調整により撮像素子ブロック４０は、Ｘ軸右方向に厚さｔ＝１だけ移動し、かつ撮像素子十字線９３の交点を略中心として反時計方向に回転している。その様子は、基準十字線９１の交点が撮像素子十字線９３の交点に対してＸ軸右方向に移動し、かつ反時計方向に回転していることによっても分かる。
【００４１】
図６（Ｃ）では、標準位置状態から、左側面のスペーサ８２を取り除き、右側面のスペーサ８２を厚さｔ＝２に変更してある。従って、左右の位置調整板７１、７２が標準位置から厚さｔ＝１だけＸ軸右方向に移動している。このスペーサ調整により撮像素子ブロック４０は、Ｘ軸右方向に厚さｔ＝１だけ平行移動している。その様子は、基準十字線９１に対して撮像素子十字線９３がＸ軸右方向に平行移動していることによっても分かる。
【００４２】
以上のスペーサ調整が終了すると、第１位置決め部７１ａ、７２ａは、スペーサ８１が無い場合は第１基準面６１ａに接触した状態でねじ止めされ、スペーサ８１が有る場合はスペーサ８１を第１基準面６１ａとで挟んだ状態でねじ止めされる。同様に第２位置決め部７１ｂ、７２ｂは、スペーサ８２が無い場合は第２基準面６１ｂに接触した状態でねじ７３ａ、７３ｂ、７４ａ、７４ｂにより撮像素子ハウジング６０に固定され、スペーサ８２が有る場合はスペーサ８２を第２基準面６１ｂとで挟んだ状態でねじ７３ａ、７３ｂ、７４ａ、７４ｂにより撮像素子ハウジング６０に固定される。
【００４３】
以上の通り本実施形態によれば、撮像素子ハウジング６０の互いに直交し、光軸Ｏと平行な第１基準面６１ａ、第２基準面６１ｂを利用して、撮像素子ブロック４０の位置調整方向を高精度に光軸Ｏと直交しかつ互いに直交する２方向に規定するとともに、スペーサ８１、８３の厚さを利用して撮像素子ブロック４０の位置調整を行うので、位置精度が高く、一旦位置決めすると位置の狂いが生じ難い。しかも、撮像素子ハウジング６０に対する撮像素子ブロック４０及び位置調整板７１、７２の固定はねじ止めなので、製造後においても位置の再調整が容易におこなえる。
【００４４】
また、この実施形態における撮像素子ブロック４０の位置決めは、先ず、上部の左右のスペーサ８１調整による傾き調整を行うと、その後の上下、左右の位置調整は平行移動、つまり、上部の左右のスペーサ８１の厚さを同量調整してＹ軸方向（上下）位置（縦位置）調整を行い、両側面のスペーサ８２の厚さ調整によりＸ軸方向（左右）位置（横位置）調整を行うことになるので好ましい。
【００４５】
図示実施例では円板形状のスペーサ８１、８２を示したが、ねじ７３ａ、７３ｂ、７４ａ、７４ｂを抜かなくても抜き差しできるように、Ｕ字又はＣ字形状にしてもよい。
【００４６】
撮像素子ハウジング６０の筒状部６１の外面に第１、第２基準面６１ａ、６１ｂを形成し、位置調整板７１、７２を配置したが、内面に基準面を形成し、位置調整板を配置する構成でもよい。
位置調整板７１、７２は、Ｌ字形に形成して撮像素子ハウジング６０の左右の肩部に配置したが、撮像素子ハウジング６０の左右の下端部に配置しても、或いは対角位置に配置してもよい。
また、撮像素子ブロック４０の傾き調整が不要な場合は、位置調整板７１、７２の内一方だけでもよいが、この場合は、位置調整板７１、７２の連結部は撮像素子ブロック４０に固定して、これらが一体として移動するように形成する。
基準面を、例えば撮像素子ブロック４０の受光面４１ｂに立てた法線と平行であって、互いに平行であり、かつ撮像素子ブロック４０に対して対称となる位置に形成された二つの基準面（第２基準面６１ｂ）だけにしてもよい。この二つの基準面は、撮像素子ブロック４０の上下位置に設けてもよい。
連結部７１ｃ、７２ｃは、筒状部６１の穴から筒状部６１内に進入する構成としたが、筒状部６１に切欠を形成してその切り欠きから、又は筒状部６１の縁を外側から跨いで筒状部６１内に進入する構成としてもよい。
【００４７】
各位置調整板７１、７２を３本のねじ７３ａ、７３ｂ、７３ｂ、ねじ７４ａ、７４ｂ、７４ｂで固定する構成としたが、ねじはそれぞれに１本でよい。その場合、他の２本のねじに替えて、位置調整板７１、７２を第１、第２基準面６１ａ、６１ｂに対して垂直方向に直線ガイドできるガイドピンとガイド溝によるガイド機構を形成し、スペーサをガイドピンに嵌めるように形成する。
【００４８】
以上、本発明を、中判デジタル一眼レフカメラの撮像素子ハウジングに適用した実施形態を示したが、35mm版デジタル一眼レフカメラなどの光学機器一般に適用できる。
【符号の説明】
【００４９】
１０  カメラボディ
１１  外装板
１３  レンズマウント
２０  メインミラー
３０  シャッター装置
４０  撮像素子ブロック
４１  撮像素子
４３  取付板
４３ａ  取付部
４３ｂ  ボス穴
４３ｃ  ４３ｄ  ピン穴
５０  ミラーボックス
６０  撮像素子ハウジング
６１  筒状部
６１ａ  第１基準面
６１ｂ  第２基準面
６１ｃ  ６１ｄ  ねじ穴
６１Ｘ  外上面
６１Ｙ  両外側面
６２  フランジ部
６２ａ  ボス
６５  ねじ
７１  ７２  位置調整板
７１ａ  ７２ａ  第１位置決め部
７１ｂ  ７２ｂ  第２位置決め部
７１ｃ  ７２ｃ  連結部
７１ｄ  ７２ｄ  ピン
７１ｅ  ７２ｅ  長穴
７１ｆ  ７２ｆ  長穴
８１  ８２  スペーサ（間隔調整部材）
９１  基準十字線
９３  撮像素子十字線
【図１】
0005482241.tif 000002
【図２】
0005482241.tif 000003
【図３】
0005482241.tif 000004
【図４】
0005482241.tif 000005
【図５】
0005482241.tif 000006
【図６】
0005482241.tif 000007